(57)【特許請求の範囲】
【請求項１】
互いに直交して配置された側壁部及び平面部を有するケースにおいて、前記ケースの外部から押圧操作される押圧部を有する押しボタンを、前記側壁部及び前記平面部の内壁面に取り付けるための押しボタン取付構造において、
前記側壁部は、前記押圧部を外部に露出させる開口部を有し、
前記平面部は、前記内壁面に立設された突出部を有し、
前記押しボタンは、
自由端となる一端部に前記押圧部が形成され、前記押圧部の押圧操作の際に弾性変形する第１腕部であって、前記側壁部及び前記平面部の内壁面に取り付けられた取り付け状態において、前記側壁部の内壁面と平行に延び、他端部が前記平面部の内壁面と当接する第１腕部と、
一端部が前記第１腕部の他端部と接続され、自由端となる他端部には前記突出部と嵌合する嵌合穴が形成され、弾性変形する第２腕部であって、前記取り付け状態において、前記平面部の内壁面と平行に延びる第２腕部とを有し、
さらに、前記第２腕部において、前記第２腕部の一端部から前記嵌合穴までの長さは、前記取り付け状態において、前記第２腕部の一端部と前記側壁部の内壁面とが当接し、かつ、前記突出部と嵌合する前記嵌合穴の前記側壁部側の内壁が前記突出部と当接する長さである押しボタン取付構造。
【請求項２】
前記第２腕部の他端部に形成された前記嵌合穴は、前記他端部に形成された切り欠き部である請求項１に記載の押しボタン取付構造。
【請求項３】
前記第２腕部の他端部に形成された前記嵌合穴は、前記他端部に形成された長穴である請求項１に記載の押しボタン取付構造。
【請求項４】
前記ケースは、樹脂成形品である請求項１〜３のいずれか１項に記載の押しボタン取付構造。
【請求項５】
前記ケースは、第１ケースと第２ケースとの組み合わせにより構成され、
前記開口部は、前記第１ケースと前記第２ケースのいずれかに形成されており、前記ケースにおいて、前記第１ケースと前記第２ケースとの分割線と重ならない位置に形成されている請求項１〜４のいずれか１項に記載の押しボタン取付構造。
【発明の詳細な説明】
【技術分野】
【０００１】
本発明は、ケースに操作用の押しボタンを取り付ける押しボタン取付構造に関するものである。
【背景技術】
【０００２】
例えば、携帯型電子機器のケースには、押圧操作によって操作される押しボタンが取り付けられている。押しボタンは、例えば、電源ボタンなどである。ケース内には、回路素子であるスイッチが収容されており、ケースの外部から電源ボタンを押圧操作することによって、ケース内部のスイッチがＯＮ／ＯＦＦされる。
【０００３】
ケースは、例えば、上面、下面、および上下面と直交する複数の側面で構成される箱型である。こうしたケースは、上面を有する上ケースと下面を有する下ケースとの２部品の組み合わせで形成される場合が多い。直方体形状であれば、上ケースは、上面と４つの側面を有し、下ケースは下面と４つの側面を有する。上ケースと下ケースは、それぞれ、側面を構成する側壁部と、上面または下面を構成する平面部とが互いに直交して配置される構成である。
【０００４】
特許文献１には、このようなケースにおいて、直交配置される側壁部と平面部の内壁面に、押しボタンを取り付ける押しボタン取付構造が開示されている。特許文献１に記載の押しボタンは、側壁部と平面部のそれぞれの内壁面に沿って延びる第１腕部と第２腕部を有する略Ｌ字形状をしている（第１図）。第１腕部の自由端となる一端部には押圧部が形成されており、他端部には第２腕部の一端部が接続されている。第２腕部の自由端となる他端部には、ネジ止め用のネジ穴が形成されている。
【０００５】
押しボタンは、第１腕部の長手方向を側壁部の内壁面と平行に、かつ、第２腕部の長手方向を平面部の内壁面と平行に配置した状態で、ネジ穴を利用してネジによってケースに固定される。
【先行技術文献】
【特許文献】
【０００６】
【特許文献１】実開昭６３−５８４３３号公報
【発明の概要】
【発明が解決しようとする課題】
【０００７】
しかしながら、携帯型電子機器のケースの押しボタン取付構造は、コストの制約が厳しいため、可能な限り簡単な構造であることが求められる。特許文献１に記載されている押しボタン取付構造では、押しボタンの押圧部を位置決めしたうえで、その状態を維持しながらネジ止めをする必要があるので、組み立て作業に手間を要する。また、ネジや接着剤などの押しボタン取付用の別部材を必要とするので部品コストがかかる。
【０００８】
本発明は、押しボタン取付用の別部材を用いることなく、ケース内に押しボタンを容易に取り付けることが可能な押しボタン取付構造を提供することを目的とする。
【課題を解決するための手段】
【０００９】
上記目的を達成するために、互いに直交して配置された側壁部及び平面部を有するケースにおいて、ケースの外部から押圧操作される押圧部を有する押しボタンを、側壁部及び平面部の内壁面に取り付けるための押しボタン取付構造において、側壁部は、押圧部を外部に露出させる開口部を有し、平面部は、内壁面に立設された突出部を有し、押しボタンは、自由端となる一端部に押圧部が形成され、押圧部の押圧操作の際に弾性変形する第１腕部であって、側壁部及び平面部の内壁面に取り付けられた取り付け状態において、側壁部の内壁面と平行に延び、他端部が平面部の内壁面と当接する第１腕部と、一端部が第１腕部の他端部と接続され、自由端となる他端部には突出部と嵌合する嵌合穴が形成され、弾性変形する第２腕部であって、取り付け状態において、平面部の内壁面と平行に延びる第２腕部とを有し、さらに、第２腕部において、第２腕部の一端部から嵌合穴までの長さは、取り付け状態において、第２腕部の一端部と側壁部の内壁面とが当接し、かつ、突出部と嵌合する嵌合穴の側壁部側の内壁が突出部と当接する長さである。
【００１０】
第２腕部の他端部に形成された嵌合穴は、他端部に形成された切り欠き部であることが好ましい。
【００１１】
第２腕部の他端部に形成された嵌合穴は、他端部に形成された長穴であることが好ましい。
【００１２】
ケースは、樹脂成形品であることが好ましい。
【００１３】
ケースは、第１ケースと第２ケースとの組み合わせにより構成され、開口部は、第１ケースと第２ケースのいずれかに形成されており、ケースにおいて、第１ケースと第２ケースとの分割線と重ならない位置に形成されていることが好ましい。
【発明の効果】
【００１４】
本発明によれば、押しボタン取付用の部材を用いることなく、ケース内に押しボタンを容易に取り付けることができる。
【図面の簡単な説明】
【００１５】
【図１】押しボタン取付構造が使用される携帯型録音装置の外観斜視図である。
【図２】押しボタン取付構造が使用される携帯型録音装置の分解斜視図である。
【図３】ケースに電源ボタンが取り付けられた状態を示す押しボタン取付構造の拡大斜視図である。
【図４】ケースから電源ボタンを取り外した状態を示す押しボタン取付構造の拡大斜視図である。
【図５】電源ボタンの斜視図である。
【図６】電源ボタンの取り付け手順及び押しボタン取付構造の作用について説明する説明図である。
【図７】電源ボタンの取り付け手順及び押しボタン取付構造の作用について説明する説明図である。
【図８】電源ボタンの取り付け手順及び押しボタン取付構造の作用について説明する説明図である。
【図９】電源ボタンの取り付け手順及び押しボタン取付構造の作用について説明する説明図である。
【図１０】長穴形状の嵌合穴を有する電源ボタンの斜視図である。
【図１１】上ケースと下ケースとの分割線と重なる位置に開口部が形成された比較例１を説明する説明図である。
【図１２】平面部に突出部を立設させる金型を説明する説明図である。
【図１３】側壁部に突出部を立設させる比較例２の金型を説明する説明図である。
【発明を実施するための形態】
【００１６】
図１〜図３において、本発明の押しボタン取付構造１０は、例えば、小型の電子機器である携帯型録音装置１１に使用される。携帯型録音装置１１は、ケース１２に、操作に用いられる押しボタンが設けられており、押しボタン取付構造１０は押しボタンを取り付けるためのものである。押しボタンは、押圧操作されるボタンである。押しボタンとしては、例えば、図１及び図２に示す操作ボタン１７や、図２〜図５に示す電源ボタン２２がある。
【００１７】
携帯型録音装置１１には、音声を入力するための外付けマイク１３を取り付けることが可能である。マイク１３は、例えば、円柱形状をしており、後端に、携帯型録音装置１１と接続されるマイク側コネクタ１３ａを有する。マイク１３が集音した音声信号は、マイク側コネクタ１３ａから出力される。
【００１８】
ケース１２は、平面形状が略矩形の直方体形状をしたケースであり、外周面は、対向する上面および下面と、上面および下面と直交する４つの側面で構成される。ケース１２は、上側を構成する上ケース１２ａと、下側を構成する下ケース１２ｂの２部品で構成される。上ケース１２ａは、特許請求の範囲に記載の「第１ケース」に対応し、下ケース１２ｂは、特許請求の範囲に記載の「第２ケース」に対応する。
【００１９】
上ケース１２ａは、４つの側面のそれぞれの上半分を構成する４つの側壁部１４と、上面を構成する１つの平面部１５とにより構成されている。側壁部１４は、平面部１５に対して直交している。下ケース１２ｂは、上ケース１２ａと同様に、４つの側壁部１４と１つの平面部１５とにより構成され、側壁部１４は、平面部１５に対して直交している。下ケース１２ｂにおいては、平面部１５は下面を構成する。上ケース１２ａ及び下ケース１２ｂは、それぞれ開口部が形成された有底の箱型をしている。
【００２０】
上ケース１２ａ及び下ケース１２ｂは、開口部を互いに対向させた状態で、例えば、ネジ止めされることにより、両者が結合されてケース１２が組み立てられる。上ケース１２ａと下ケース１２ｂを組み立てた状態では、ケース１２の側面には、上ケース１２ａと下ケース１２ｂの境界となる分割線が形成される。
【００２１】
ケース１２内には、基板１６などが収容される。基板１６には、操作ボタン１７や電源ボタン２２などの押しボタンが押圧操作されることにより作動する回路素子であるスイッチなどが設けられる。図２及び図９において、符号１６ａは、スイッチの１つであり、電源ボタン２２の押圧操作によって作動するスイッチである。また、基板１６には、入力された音声を記録するＩＣ（Integrated Circuit）メモリなどのデータストレージデバイス（図示せず）や、マイク側コネクタ１３ａが接続される本体側コネクタ（図示せず）なども設けられている。
【００２２】
上ケース１２ａの平面部１５には、録音、再生及び音量の調節などの操作を行うために用いられる複数の操作ボタン１７と、録音中または再生中などのステータス、録音時間、及び音量などの各種表示を行うインジケータ１８とが設けられている。操作ボタン１７が押圧操作されると、操作ボタン１７に対応するスイッチ（図示せず）が作動して、録音、再生及び音量の調節などが可能となる。
【００２３】
上ケース１２ａの側壁部１４の１つには、ＩＣメモリに記録した音声データを再生した音声信号を外部に出力する外部出力端子であるジャック１９が設けられている。ジャック１９には、ヘッドフォンケーブルなどのケーブルの一端に取り付けられたプラグが接続される。
【００２４】
下ケース１２ｂの側壁部１４の１つには、音声データを記録するためのメモリーカードを装着可能なスロット２０と、記録した音声データを外部に送信するためのＵＳＢ（Universal Serial Bus）コネクタ２１とが設けられている。また、下ケース１２ｂの側壁部１４の１つには、電源のＯＮ／ＯＦＦに用いられる電源ボタン２２が設けられている。電源ボタン２２が押圧操作されると、電源ボタン２２に対応するスイッチ１６ａが作動して、電源のＯＮとＯＦＦとが切り替えられる。
【００２５】
上ケース１２ａ及び下ケース１２ｂは、ともにプラスチック材料による樹脂成形品である。このように、１つの平面部１５と、平面部１５の各辺のそれぞれに直交配置された側壁部１４とで構成され、一方に開口部を有する有底の箱形ケースは、凹型のキャビティーを有するキャビティー金型６０と、凸形状のコアを有するコア金型６１とによって射出成形されるのが一般的である（図１２参照）。
【００２６】
以下、押しボタン取付構造１０の例として、電源ボタン２２を下ケース１２ｂに取り付ける取付構造について説明をする。
【００２７】
図２〜図５に示すように、電源ボタン２２は、押圧部２８と、Ｌ字形状のＬ形腕部２９とを有している。電源ボタン２２は、例えば、プラスチック材料による樹脂成形品であり、各部は一体に成形されている。
【００２８】
下ケース１２ｂの側壁部１４には、電源ボタン２２の押圧部２８を下ケース１２ｂの外部に露出させるための開口部２５が形成されている。開口部２５は、押圧部２８の外形に応じた形状をしており、本例では、押圧部２８が楕円形状であるため、楕円形状をしている。
【００２９】
下ケース１２ｂの平面部１５の内壁面には、電源ボタン２２を取り付けるための突出部２６が設けられている。突出部２６は、立設されている。突出部２６は、例えば、円柱形状をしている。突出部２６は、押圧部２８の押圧方向と直交する方向に突出している。
【００３０】
押圧部２８は、開口部２５に挿入される。押圧部２８の後端には、押圧部２８の外周に沿って一段出っ張ったフランジ部３０が形成されている。フランジ部３０は、外周が開口部２５より大きくなるように形成されており、開口部２５の外縁部分と当接することにより、押圧部２８の挿入方向への移動を規制する。
【００３１】
フランジ部３０の中央部分には、後方に突出した突起部３１が設けられている。突起部３１は、スイッチ１６ａ（図２及び図９参照）と対向する位置に配置されており、電源ボタン２２が押圧操作されることにより、スイッチ１６ａを押圧して作動させる。
【００３２】
Ｌ形腕部２９は、側壁部１４と平面部１５のそれぞれの直交配置される２つの内壁面に合わせて、Ｌ字形状に形成されており、下ケース１２ｂにおいて、側面を構成する側壁部１４及び下面を構成する平面部１５のそれぞれの内壁面の交差部付近に取り付けられる。Ｌ形腕部２９は、互いに直交する第１腕部３３と第２腕部３４との２つの腕部で構成される。
【００３３】
第１腕部３３は、自由端となる一端部に、フランジ部３０を介して押圧部２８が形成されている。側壁部１４及び平面部１５のそれぞれの内壁面に電源ボタン２２が取り付けられた取り付け状態において、第１腕部３３は、側壁部１４の内壁面と平行に延びて、他端部が平面部１５の内壁面と当接する。
【００３４】
第１腕部３３は、押圧部２８の押圧操作の際に弾性変形する。そのため、押圧部２８が押圧操作されると、押圧部２８が後方に移動され、突起部３１によりスイッチ１６ａが押圧される。また、第１腕部３３は、中央部分が長手方向に沿って肉抜きされて、２本の柱状をしている。これにより、第１腕部３３は、弾性変形し易くなっている。
【００３５】
第２腕部３４は、一端部が第１腕部３３の他端部と接続されており、自由端となる他端部には、突出部２６と嵌合する嵌合穴３６が形成されている。嵌合穴３６は、第２腕部３４の他端を自由端とする切り欠き形状の切り欠き部である。この切り欠き部において、自由端とは反対側にある一端部側の内壁は、突出部２６の外形に応じた形状をしており、本例では、突出部２６が円柱形状であるため、平面形状が半円形形状をしている。
【００３６】
第２腕部３４は、嵌合穴３６が突出部２６と嵌合する際に弾性変形する。詳しくは後述するが、この第２腕部３４の弾性変形を利用することにより、電源ボタン２２を平面部１５の内壁面に容易に取り付けることが可能とされている。また、第２腕部３４は、上面及び下面が、長手方向に延びた凹み形状をしている。すなわち、第２腕部３４は、中央部分の肉厚が長手方向に沿って薄くなっている。これにより、第２腕部３４は、弾性変形し易くなっている。
【００３７】
第２腕部３４は、取り付け状態において、平面部１５の内壁面と平行に延びた状態で配置される。第２腕部３４において、側壁部１４側の一端部から嵌合穴３６までの長さは、第２腕部３４の一端部と側壁部１４の内壁面とが当接し、かつ、嵌合穴３６の側壁部１４側の内壁が突出部２６の外周面と当接する長さを有している（図９の長さＬ参照）。この長さＬは、下ケース１２ｂにおける、側壁部１４の内壁面からの突出部２６の位置に応じて決められる。
【００３８】
このような長さＬになっているため、電源ボタン２２が側壁部１４及び平面部１５の内壁面に取り付けられた取り付け状態においては、第２腕部３４の側壁部１４側の一端部と側壁部１４の内壁面とが圧接し、嵌合穴３６の側壁部１４側の内壁と突出部２６とが圧接する。これにより、ネジなどの押しボタン取付用の別部材を使用することなく、電源ボタン２２が下ケース１２ｂに固定され、かつ、位置決めも行われる。ネジなどの押しボタン取付用の別部材を使用する必要がないので、組み立て作業にかかる手間や部品コストを軽減することができる。
【００３９】
次に、電源ボタン２２を下ケース１２ｂに取り付ける取り付け手順を説明しながら、押しボタン取付構造１０の作用について説明する。図６に示すように、下ケース１２ｂの側壁部１４に設けられた開口部２５に、電源ボタン２２の押圧部２８を挿入させる。図７に示すように、押圧部２８の上面及びフランジ部３０が開口部２５の外縁部分と当接すると、電源ボタン２２の挿入方向への移動が規制される。また、第２腕部３４の下面が突出部２６の上面と当接すると、電源ボタン２２の下方への移動が規制される。この時、第２腕部３４の一端部と側壁部１４の内壁面とは離間している。
【００４０】
図８に示すように、第２腕部３４が側壁部１４に向けて押圧されると、第２腕部３４は、下方への移動が突出部２６によって規制されているので、自由端が反り返る方向に弾性変形する。これにより、第２腕部３４を側壁部１４に向けてさらに押し込むことが可能となる。
【００４１】
第２腕部３４の一端部から嵌合穴３６までの長さＬは、取り付け状態において、第２腕部３４の側壁部１４側の一端部と側壁部１４の内壁面とが当接し、かつ、嵌合穴３６の側壁部１４側の内壁が突出部２６と当接する長さを有している。上記の押し込みによって嵌合穴３６が突出部２６の上方に位置すると、突出部２６が嵌合穴３６に進入可能となり、第２腕部３４の下方への移動に対する突出部２６の規制が解除される。このため、第２腕部３４は、弾性変形した状態から元の状態に戻りながら下方へ移動して、図９に示すように、嵌合穴３６に突出部２６が嵌合される。
【００４２】
これにより、電源ボタン２２が下ケース１２ｂに固定され、かつ、位置決めも行われる。こうした固定と位置決めには、ネジなどの押しボタン取付用の別部材が不要であるため、下ケース１２ｂへの電源ボタン２２の取り付けを容易に行うことができる。その結果、組み立て作業にかかる手間や部品コストを軽減することができる。
【００４３】
また、電源ボタン２２が下ケース１２ｂに取り付けられた取り付け状態において、電源ボタン２２が押圧操作されて、電源ボタン２２に外力が働いた場合でも、第２腕部３４が側壁部１４の内壁面と突出部２６の外周面とに当接しているので、電源ボタン２２が不用意に脱落することが防止される。
【００４４】
また、上記実施形態では、嵌合穴３６が切り欠き形状の切り欠き部であるため、例えば、嵌合穴のサイズが突出部２６のサイズと同程度で、かつ突出部２６と同じように円形形状をしている場合と比較して、取り付けが容易である。というのも、嵌合穴３６と突出部２６との嵌合は、図８に示すように、第２腕部３４の自由端が反り返る方向に弾性変形した状態から、図９に示すように、直線的な状態に戻る過程で行われる。このため、嵌合穴と突出部２６のサイズ及び形状が同じ場合には、突出部２６と嵌合穴が干渉して嵌合がしにくい。本例の嵌合穴３６であれば、切り欠き形状とすることにより、穴形状が自由端側に広がっており、突出部２６のサイズよりも大きくなっているため、突出部２６と嵌合穴３６が干渉しないため、取り付けしやすい。
【００４５】
また、電源ボタン２２において、上記実施形態のような切り欠き形状の嵌合穴３６の代わりに、図１０に示す長穴形状の嵌合穴４２を設けても良い。嵌合穴４２は、第２腕部３４の長手方向に延びた長穴である。長穴形状としても、突出部２６との嵌合の際に、嵌合穴４２内で、突出部２６を長手方向の後方へ逃がすためのスペースが確保される。そのため、切り欠き形状とした上記実施形態と同様に、突出部２６と嵌合穴４２が干渉しないため、電源ボタン２２を容易に取り付けることができる。
【００４６】
また、本発明の押しボタン取付構造１０は、図２〜図４に示すように、上ケース１２ａと下ケース１２ｂとの分割線と重ならない位置に開口部２５が形成されている場合に、特に有効である。以下、比較例１と比較しながら、その理由を説明する。
【００４７】
［比較例１］
比較例１の押しボタン取付構造は、開口部が形成されている位置が上記実施形態と異なっており、図１１に示すように、上ケース５０ａと下ケース５０ｂとを組み立てた状態で、上ケース５０ａと下ケース５０ｂの分割線と重なる位置に開口部５１が形成されている。具体的には、上ケース５０ａの側壁部１４の下端には、半円形状をした切り欠き５１ａが形成されている。下ケース５０ｂの側壁部１４の上端には、半円形状をした切り欠き５１ｂが形成されている。下ケース５０ｂと上ケース５０ａとを組み立てた状態において、各切り欠き５１ａ、５１ｂにより形成された略楕円形状の開口が開口部５１である。
【００４８】
また、比較例１の押しボタンは、例えば、電源のＯＮ／ＯＦＦに用いられる電源ボタン５２であり、上記実施形態の電源ボタン２２とほぼ同様の構成である。すなわち、電源ボタン５２は、Ｌ形腕部５４や押圧部２８を有している。
【００４９】
Ｌ形腕部５４は、互いに直交する第１腕部５５と第２腕部５６との２つの腕部で構成される。第２腕部５６は、一端部が第１腕部５５の他端部と接続されており、自由端となる他端部には、突出部２６と嵌合する嵌合穴５７が形成されている。ただし、電源ボタン５２の第２腕部５６は、弾性変形せず、嵌合穴５７は、円形形状をしており、直径が突出部２６の直径と略等しい寸法で形成されている点で、電源ボタン２２の第２腕部３４と相違する。
【００５０】
このように、開口部５１が上ケース５０ａと下ケース５０ｂの分割線と重なる位置に形成されている状態では、電源ボタン５２を下ケース５０ｂに取り付けてから、上ケース５０ａを組み立てることができるため、電源ボタン５２がどのような態様であっても、簡単に取り付けることができる。
【００５１】
例えば、電源ボタン５２において、嵌合穴５７が形成された第２腕部５６が弾性変形しなくとも、電源ボタン５２の取り付けに際して、押圧部２８の開口部５１への挿入と、嵌合穴５７と突出部２６との嵌合を同時に行うことができる。また、嵌合穴５７と突出部２６のサイズ及び形状が同一でも、突出部２６の軸方向と平行に嵌合穴５７を嵌合させることも可能である。というのも、開口部５１が分割線と重なる位置に形成されているので、下ケース５０ｂへ電源ボタン５２の取り付け後に、上ケース５０ａを組み立てることができるため、電源ボタン５２の取り付け時点においては開口部５１を開放した状態にできるからである。
【００５２】
これに対して、上記実施形態では、上ケースと下ケースとの分割線と重ならない位置に開口部が形成される場合でも、電源ボタン２２の第２腕部３４が弾性変形可能であるので、開口部５１に押圧部２８を挿入した状態でも、電源ボタン２２の取り付けが可能である。このように、上記実施形態の押しボタン取付構造１０は、上ケースと下ケースの分割線と重ならない位置に開口部５１が有る場合に特に有効だと言える。また、嵌合穴も、上記実施形態のように切り欠き形状または長穴にしておけば、第２腕部３４を弾性変形させながら突出部２６と嵌合させる場合において、干渉が少ないため、有利である。
【００５３】
また、下ケース１２ｂがプラスチック材料の樹脂成形品である場合は、射出成型するために、図１２に示すように、凹形状のキャビティーを有するキャビティー金型６０と、凸形状のコアを有するコア金型６１とが用いられる。キャビティー金型６０とコア金型６１は、Ｙ方向に移動可能である。コア金型６１の底面には、円柱形状の凹部６１ａが設けられている。周知のように、キャビティー金型６０とコア金型６１を近接させ、各金型６０，６１の隙間にプラスチック材料による樹脂を溶融した状態で射出することにより、下ケース１２ｂが射出成形される。成形後、キャビティー金型６０とコア金型６１を離間させることにより、下ケース１２ｂが各金型６０、６１から取り出される。これにより、下ケース１２ｂの平面部１５の内壁面には、コア金型６１の凹部６１ａに対応する位置に突出部２６が一体成形される。
【００５４】
［比較例２］
以下、図１３に示すように突出部２６が側壁部１４に設けられる場合の比較例２と、図１２に示すように突出部２６が平面部１５に設けられる場合の上記実施形態との比較をする。結論から言えば、以下に説明するように、比較例２と比較して、上記実施形態のように平面部１５に突出部２６を設ける方が下ケース１２ｂの成形性がよく、かつ、電源ボタン２２の固定と位置決めも簡単になる。
【００５５】
上記実施形態では、下ケース１２ｂにおいて、平面部１５の内壁面に突出部２６が設けられているのに対して、比較例２は、側壁部１４の内壁面に突出部２６が設けられている点が上記実施形態と異なっている。比較例２の場合は、図１３に示すように、Ｙ方向に移動可能なキャビティー金型６３及びコア金型６４と、Ｙ方向と直交するＸ方向に移動可能なスライド構造を有するスライド金型６５とが用いられる。スライド金型６５は、側壁部１４の内壁面に突出部２６を一体成形するためのものである。
【００５６】
側壁部１４の内壁面に突出部２６を一体成形するためには、キャビティー金型６３及びコア金型６４に加え、スライド金型６５が必要なので、金型構造が複雑であり、仕上がり精度の低下や、歩留まりに悪影響が生じ易く、また金型自体が高価になるという問題がある。これに対して、上記実施形態では、キャビティー金型６３及びコア金型６４により、平面部１５の内壁面に突出部２６を一体成形することができるので、上記のような問題は生じず、成形性がよい。
【００５７】
さらに、比較例２のように、側壁部１４に突出部２６が設けられる場合には、突出部２６の軸方向が、開口部５１への押圧部２８の挿入方向と平行になる。そのため、比較例２の場合には、突出部２６と電源ボタン２２を嵌合させただけでは、電源ボタン２２が押圧された場合に、電源ボタン２２の位置がずれてしまったり、突出部２６からはずれてしまう。そのため、電源ボタン２２を固定するために別途の固定部材が必要になる。上記実施形態のように平面部１５に突出部２６を設ければ、突出部２６の軸方向が押圧方向と直交する方向となるため、突出部２６が電源ボタン２２の固定部材及び位置決め部材として機能する。そのため、電源ボタン２２の固定と位置決めが簡単になる。
【００５８】
なお、上記実施形態では、電源ボタン２２を取り付ける例を説明しているが、電源ボタン２２に代えて操作ボタン１７を取り付けても良い。また、上記実施形態では、電源ボタン２２を下ケース１２ｂに取り付けているが、下ケース１２ｂに代えて、上ケース１２ａに取り付けても良い。
【００５９】
本発明は、上記実施形態に限定されず、本発明の趣旨を逸脱しない範囲で適宜変更が可能である。
【符号の説明】
【００６０】
１０  押しボタン取付構造
１１  携帯型録音装置
１２  ケース
１２ａ  上ケース
１２ｂ  下ケース
１４  側壁部
１５  平面部
１７  操作ボタン
２２  電源ボタン
２５  開口部
２６  突出部
２８  押圧部
２９  Ｌ形腕部
３３  第１腕部
３４  第２腕部
３６，４２  嵌合穴
【図１】
0006593186.tif 000002
【図２】
0006593186.tif 000003
【図３】
0006593186.tif 000004
【図４】
0006593186.tif 000005
【図５】
0006593186.tif 000006
【図６】
0006593186.tif 000007
【図７】
0006593186.tif 000008
【図８】
0006593186.tif 000009
【図９】
0006593186.tif 000010
【図１０】
0006593186.tif 000011
【図１１】
0006593186.tif 000012
【図１２】
0006593186.tif 000013
【図１３】
0006593186.tif 000014